(57)【特許請求の範囲】
【請求項１】
所定の軸の周囲に配置されるとともに筐体の少なくとも一部を共有する複数の遊技機ユニットからなるメダル遊技機において、
各遊技機ユニットはそれぞれのメダル貯留装置から前記筐体上部の前記所定の軸近傍に前記メダルを搬送するエレベーター機構を有し、
前記筐体上部の所定の軸近傍には、前記エレベーター機構により搬送された前記メダルを前記各遊技機ユニットに分配するメダル分配機構が備えられ、
前記分配機構に連接し、各遊技機ユニットの正面に配置され、前記分配機構から前記メダルを視認可能に、前記各遊技機のユニットの前記メダルの貯留装置又はプレイヤー払い戻し位置のいずれかへ切り替えて誘導可能とする斜板、を備えたメダル遊技機。
【請求項２】
前記遊技機ユニットのメダル貯留装置には前記メダルの残量を検知するメダル残量検知手段が備えられるとともに、前記各遊技機ユニットのメダル残量検知手段からの情報にもとづいて前記各遊技機ユニットのメダル残量が所定量以上に保たれるように前記各遊技機ユニットの前記エレベーター機構および前記メダル分配機構の動作を制御するメダル分配制御手段が備えられていることを特徴とする請求項１に記載されたメダル遊技機。
【請求項３】
前記各遊技機ユニットの前記斜板上には、
前記メダル貯留装置へと通じる開口と、
前記開口を開閉するための開閉機構と、が備えられ
前記メダル分配制御手段は前記開閉機構の動作をも制御し、
前記開口の開放の姿勢で、前記メダルは前記メダルの貯留装置へ通じ、
前記開口の閉鎖の姿勢で、前記メダルは前記プレイヤーに払い戻される部位へ通じることを特徴とする請求項２に記載されたメダル遊技機。
【発明の詳細な説明】
【０００１】
【発明の属する技術分野】
本発明は、複数の遊技機ユニットにより構成されるメダル遊技機に関する。
【０００２】
【従来の技術】
複数の遊技機ユニットが、周状に配置されてメダル遊技機を構成している場合において、従来は、遊技機ユニット毎に独立してメダルの払い出しや取り込みを行う閉じた系となっていた。一方このようなメダル遊技機においては、プレイヤーに大量のメダルを払い出す場合、各メダル遊技機にそれぞれ設けられたエレベーター機構により各ユニットのメダル貯留装置から遊技機筐体上部へとメダルを搬送し、プレイヤーから見えるように遊技機の正面に配置された斜板上にメダルを滑走させて、メダル受け皿に落とし込むことにより、プレイヤーに対する演出効果を得ようとする試みがなされている。
【０００３】
【発明が解決しようとする課題】
本発明では、複数の遊技機ユニットにより構成されるメダル遊技機において各遊技機ユニット間にメダルの過不足が生じた場合に、遊技機ユニット間のメダルの融通を上記演出を行いながら実現できるメダル遊技機を提供することを課題とする。
【０００４】
【課題を解決するための手段】
以下、本発明について説明する。なお、本発明の理解を容易にするために添付図面の参照符号を括弧書きにて付記するが、それにより本発明が図示の形態に限定されるものではない。
【０００５】
本発明のメダル遊技機は、所定の軸（Ｘ）の周囲に配置されるとともに筐体の少なくとも一部を共有する複数の遊技機ユニット（１０ａ〜１０ｆ）からなるメダル遊技機（１）であって、各遊技機ユニットはそれぞれのメダル貯留装置（２３）から筐体上部の所定の軸近傍にメダルを搬送するエレベーター機構（２４）を有し、筐体上部の所定の軸近傍には、エレベーター機構により搬送されたメダルを各遊技機ユニットに分配するメダル分配機構（２６）が備えられ、分配機構に連接し、各遊技機ユニットの正面に配置され、分配機構からメダルを視認可能に、各遊技機のユニットのメダルの貯留装置又はプレイヤー払い戻し位置のいずれかへ切り替えて誘導可能とする斜板（２７、２８）を備えたメダル遊技機により前記課題を解決する。
【０００６】
このメダル遊技機によれば、遊技機ユニット間に生じるメダルの過不足をメダル分配機構によって解消することができる。また、本来演出効果のために設けられているエレベーター機構をユニット間に生じるメダルの過不足解消のために有効活用することができる。
【０００８】
さらには、プレイヤーはゲームを行いつつ大量のメダルが斜板上を滑落して行くのを目の当たりにするので、ゲームの興趣をより高めることができる。
【０００９】
また、上記構成において、遊技機ユニットのメダル貯留装置にメダルの残量を検知するメダル残量検知手段（４１〜４３）を備えるとともに、各遊技機ユニットのメダル残量検知手段からの情報にもとづいて各遊技機ユニットのメダル残量が所定量以上に保たれるように各遊技機ユニットのエレベーター機構およびメダル分配機構の動作を制御するメダル分配制御手段（５０）を備えてもよい。
【００１０】
このようにした場合には、メダル残量検知手段が各遊技機ユニット間のメダルの過不足に関する情報を捕捉し、その情報に基づいてエレベーター機構及びメダル分配機構の動作が制御される。したがって、自動的にメダルの過不足の調整を行うことができる。
【００１１】
上記のように構成した場合にはさらに、各遊技機ユニットの斜板上には、メダル貯留装置へと通じる開口と、開口を開閉するための開閉機構（２８ｄ）とを備え、メダル分配制御手段は開閉機構の動作をも制御し、開口の開放の姿勢で、メダルはメダルの貯留装置へ通じ、開口の閉鎖の姿勢で、メダルはプレイヤーに払い戻される部位へ通じるように構成することもできる。
【００１２】
このように構成した場合には、メダル分配機構を通じたメダルの流れが、プレイヤーに払い戻す場合と、各遊技機ユニット間のメダルの過不足を調整する場合とで、異なる経路を取ることができるので、遊技機設計上の自由度を高めることができる。またプレイヤーに対する演出上の効果も高めることができる。
【００１３】
本発明のこのような作用及び利得は、次に説明する実施の形態から明らかにされる。
【００１４】
【発明の実施の形態】
以下本発明を図面に示す実施形態に基づき説明する。始めに本発明の実施形態にかかるメダル遊技機の概要について図１及び図２を参照しつつ説明する。
【００１５】
図１は、メダル遊技機の全体を示す斜視図、図２は図１におけるII−II線に沿ったメダル遊技機の垂直断面図である。本実施形態のメダル遊技機１は、６台の遊技機ユニット１０ａ〜１０ｆにより構成されている。以下において、各遊技機ユニットを区別する場合には符号の後にａ、ｂ、ｃ、…等を付して「１０ａ」、「１０ｂ」、「１０ｃ」のように表し、区別の必要のない場合には符号のみにて「１０」のように表すこととする。
【００１６】
各遊技機ユニット１０ａ〜１０ｆは、垂直な軸Ｘの周囲に等しい角度をもって配置されている。このメダル遊技機１においては、各遊技機ユニット１０ａ〜１０ｆのそれぞれにおいて各２名、最大１２名のプレイヤーが同時にメダルゲームを楽しむことができる。
【００１７】
各遊技機ユニット１０ａ〜１０ｆのプレイヤーに対面する高さの部分は、各遊技機ユニット１０ａ〜１０ｆが共有する、透明な円筒状アクリル板２により覆われている。
【００１８】
遊技機ユニット１０のそれぞれには、プレイヤーがメダルを遊技機１内に投入するためのメダルシューター２０と、投入されたメダルの落下点近傍に一端が配置され、落下したメダルを転動させるために所定の傾きが設けられたプレイフィールド１２と、プレイフィールド１２の他端側に設けられ、プレイフィールド１２上を転動してきたメダルが転落するように形成されているチャッカー４４、４４、４４、…と、各チャッカー４４に転落して回収されたメダルを貯留するホッパー２３と、所定の入賞時にホッパー２３からプレイヤーに対して払い出されたメダルを貯留するメダル受け皿１３とが備えられている。
【００１９】
メダルシューター２０は、各遊技機ユニット１０に２機ずつ設けられている。各遊技機ユニット１０において、円筒状アクリル板２の側面外方には、それぞれ２本の垂直軸３、３がメダル遊技機１の筐体に取り付けられている。垂直軸３は、不図示のスラスト軸受けを介して遊技機１の筐体に取り付けられているので、自らの軸心の周りに水平面上を回転自由な状態にある。メダルシューター２０は、垂直軸３にメダル遊技機１の内部方向に斜め下向きに傾けて取り付けられている。したがって、メダルシューター２０は垂直軸３の周りに水平方向に所定の角度範囲で回動自由な状態にある。円筒状アクリル板２には、上記メダルシューター２０の水平方向の回動を妨げないように開口部が設けられている。したがってプレイヤーは入賞を目指して目標のチャッカー４４にメダルが落ち込むようにメダルシューター２０のおよその狙いを定めることができる。
【００２０】
各遊技機ユニット１０ａ〜１０ｆにおいては、前記したようにプレイフィールド１２の先端側（メダル遊技機中心部側）に複数のチャッカー４４、４４、４４、…が設けられている。各チャッカー４４には不図示のメダル通過センサが設けられている。このセンサからの情報がメダル遊技機１の制御装置に伝えられて、所定の入賞に該当するか否かが判断される。所定の入賞と判断された場合には、メダルの払い出しが実行される。
【００２１】
ホッパー２３は遊技機ユニット１０の内部に設けられている。一方メダル受け皿１３はホッパーよりやや高い位置の遊技機筐体外面に取り付けられている。ホッパー２３にはメダル受け皿１３へとメダルを払い出すための、払い出し装置が備えられている。
【００２２】
一方遊技機ユニット１０のホッパー２３には、貯留されているメダルをメダル遊技機１の上部へと搬送するエレベーター機構２４が取り付けられている。エレベーター機構２４は、その上端が各遊技機筐体の上部付近に達するまで筐体内部の柱に接するように取り付けられている。さらにエレベーター機構２４の上端は、転送樋２５に連結されている。転送樋２５は、エレベーター機構２４の上端から、メダル遊技機１の中央の軸Ｘ方向に下向きに傾斜して設けられている。転送樋２５の他端側（メダル遊技機１の中央側）下方には、メダル分配機構２６が設けられている。メダル分配機構２６は、メダル遊技機１に１つだけ設けられ、各遊技機ユニット１０ａ〜１０ｆに共有されている。メダル分配機構２６の詳細については後述する。
【００２３】
メダル分配機構２６の下方には、各遊技機ユニット１０ａ〜１０ｆのそれぞれに、メダル遊技機１の中心部から外方へ斜め下向きに設けられた斜板２７が配置されている。斜板２７の傾斜は下方へ行くほど緩やかになるように形成されている。
【００２４】
図３は、通常時のメダルの流れを、メダル遊技機を簡略化して示す図である。本図には、メダル遊技機１において中央の軸Ｘの左右に対角線上に位置する二つの遊技機ユニット１０ａおよび１０ｂが表されている。以降において説明する図４および図５においても同様である。以下に図の右側に表されている遊技機ユニット１０ａにおける通常のメダルの流れについて説明する。プレイヤーによりメダルシューター２０に投入されたメダルは、メダルシューター２０出口からプレイフィールド１２の上面に転落する。プレイフィールド１２には傾斜が設けられており、メダルはこの傾斜に沿ってメダル遊技機１の中心方向に向かって（図の左方向に向かって）転動し、プレイフィールド１２の末端部に設けられているチャッカー４４（図１参照）に転落する。各チャッカー４４に落下したメダルは遊技機ユニット１０の下部に配置されているホッパー２３に回収される。また各チャッカー４４に設けられているメダル通過センサからの情報により所定の役が成立したと判断された場合には、所定数のメダルがホッパー２３からメダル受け皿１３へと送出されプレイヤーに払い戻される。
【００２５】
さらに、適宜所定のタイミングで、メダルはホッパー２３からエレベーター機構２４にて遊技機ユニット１０の上部に送出される。遊技機ユニット１０の上部に送出されたメダルは、転送樋２５上を転動して、メダル遊技機１の中央に設けられたメダル分配機構２６に落下する。メダル分配機構２６は上方に大きく開口された漏斗状のメダル受け部２６ａと、受けたメダルを各遊技機ユニットに分配する振り分け部２６ｂと、これらを中心軸Ｘの周りに回転させる駆動機構２６ｄ（図６参照）とを備えている。図３においては、振り分け部２６ｂからのメダルが遊技機ユニット１０ａに振り分けられるように振り分け部２６ｂの姿勢が設定されている。
【００２６】
遊技機ユニット１０ａに振り分けられたメダルは直下に落下して、斜板２７上を滑走する。斜板２７はプレイヤーの正面付近に設けられているので、メダルの滑走の様子はプレイヤーからつぶさに観察されるようになっている。斜板２７の下部斜板２８は蝶番機構により図３の矢印の方向に回動可能となっている。下部斜板２８は、通常は図３に示される位置まで回動され、その位置にて保持されている。このため斜板２７の下部は開口しており、滑走してきたメダルはこの開口から下方へと落下し、通路２９を経てホッパー２３へと還流される。すなわちこの場合メダルは、ホッパー２３からエレベーター機構２４、転送樋２５、メダル分配機構２６を経て再びホッパー２３に戻る。この過程において多量のメダルが斜板２７上を滑走して、プレイヤーの興趣を盛り上げる演出効果が奏せられる。
【００２７】
図４は、メダル分配機構からのメダルの払い出しを示す図である。通常、メダルの払い出しは上記したようにホッパー２３からメダル受け皿１３へと直接メダルが送出されることにより行われる。しかし、例えばメダルが所定態様にてチャッカー４４に転落した結果大当たり等となり、通常のメダル払い出しではゲームの演出上盛り上がりに欠けると考えられるような場合に、大量のメダルを斜板２７上を滑走させながらメダル受け皿１３へと送出する演出が行われる。この場合、下部斜板２８は斜板２７の一部を形成するような位置に回動して、その位置において停止されている。すなわち図３では開口していた斜板２７の下部は、下部斜板２８が回動することにより閉鎖されるので、メダル分配機構２６より落下してきたメダルは斜板２７の全長を滑走することができ、その最先端部から通路３１を経てメダル受け皿１３へと送られる。これら斜板の開閉動作は、後述する制御装置５０により制御される。
【００２８】
図５は、遊技機ユニット１０ａ〜１０ｆ間のメダルの融通を示す図である。遊技機ユニット１０ａ、１０ｂのホッパー２３ａ、２３ｂには、メダルの残量を検出するための検知器４１ａ〜４３ａ、４１ｂ〜４３ｂがホッパー貯留槽のそれぞれ上段、中段および下段の高さに設けられている。これらの検知器は導通センサにより構成されており、左右のセンサ位置までメダルが貯留されると、両センサ間に電流が導通して、メダルの存在が感知される。上段検知器４１ａ、４１ｂがメダルを感知した場合にはホッパー２３ａ、２３ｂにはメダルが満杯に近い状態で貯留されている(ケース１)。上段検知器４１ａ、４１ｂがメダルを感知せず、中段検知器４２ａ、４２ｂがメダルを感知している場合には、ホッパー２３ａ、２３ｂにはメダルが半分程度貯留されている（ケース２）。下段検知器４３ａ、４３ｂのみメダルを感知している場合には、ホッパー２３ａ、２３ｂのメダル残量はかなり少ない状態にある(ケース３)。いずれの検知器もメダルを感知しない場合、ホッパー２３ａ、２３ｂのメダル残量はゼロに近い(ケース４)。
【００２９】
例えば遊技機ユニット１０ａのホッパー２３ａの貯留メダル残量が上記ケース１またはケース２であって、遊技機ユニット１０ｂのホッパー２３ｂの貯留メダル残量がケース３またはケース４である場合、遊技機ユニット１０ａのメダルを遊技機ユニット１０ｂに融通するため、後述する制御装置５０（図６参照）の命令によって以下の動作が行われる。
【００３０】
振り分け部２６ｂのメダル出口は、図３の状態から垂直な軸Ｘの周りに１８０°回転させられて、遊技機ユニット１０ｂの側に向けられる。斜板２７ｂの下部斜板２８ｂは図５の矢印の方向に回動されて、斜板２７ｂの下部には開口が形成される。
【００３１】
ホッパー２３ａからエレベーター機構２４ａ、転送樋２５ａを経由してメダル分配機構２６に投入されたメダルは、遊技機ユニット１０ｂの斜板２７ｂ上に落下して滑走し、斜板２７ｂ下部の開口から下方へと落下し、通路２９ｂを経てホッパー２３ｂへと送られる。すなわちこの場合には、メダルの貯留量が多い遊技機ユニット１０ａから貯留量の少ない遊技機ユニット１０ｂへのメダルの移動（融通）が行われる。また、その間にメダルが斜板２７ｂ上を滑走している状況を、遊技機ユニット１０ｂにて遊技中のプレイヤー（この場合プレイヤーはすでに多くのメダルを獲得している可能性が高い。）にディスプレーする演出が行われる。
【００３２】
図６は、上記各遊技機ユニット間のメダル分配を司る制御装置のブロック図である。各遊技機ユニットには上記したように、ホッパー２３内部の上中下の各部分に検知器(メダル残量検知器)４１〜４３が設けられている。本実施形態に使用されている検知器は前記したとおり水平方向に２つの導通部を持つ導通センサである。メダルの量がこれら二つの導通部以上のレベルになると導通部において通電され、メダルがこの位置まで貯留されていることが検知される。これらの検知器から発せられる情報は後述する制御装置５０のＣＰＵ５１へと伝えられる。制御装置５０は、メダルの分配に必要な各部の動作制御を実行するＣＰＵ５１と、ＲＡＭ５４およびＲＯＭ５５を備えている。ＣＰＵ５１は、マイクロプロセッサユニット及びその動作に必要な各種の周辺回路を組み合わせて構成されている。ＲＯＭ５５はメダルの分配に必要な動作制御に関するプログラムや各種データを記憶している。また、ＲＡＭ５４はＣＰＵ５１の作業領域として機能している。そしてＣＰＵ５１がＲＯＭ５５に記憶されたソフトウエアと組み合わされることにより、本発明にかかるメダル遊技機のメダル分配機構制御装置として機能する。
【００３３】
制御装置５０には、ＣＰＵ５１からの各種命令を、駆動装置コントローラに伝達するための出力ポート５３が備えられている。出力ポート５３を介した各種命令は、遊技機ユニット１０のエレベーター機構コントローラ２４ｃおよび下部斜板開閉装置コントローラ２８ｃ、並びにメダル分配機構２６のコントローラ２６ｃへと伝えられる。
【００３４】
図７は、メダル分配制御装置５０による各駆動装置の動作制御を示すフローチャートである。ここに示される制御は、例えば入賞に伴うプレイヤーへのメダル払い出し等、ゲームそのものの動作制御と並行して行われる。したがって、本制御の開始はゲーム機の電源が「ＯＮ」にされた時である（ステップＳ１）。まず初めにメダルの払い出し中かどうかが判断される（ステップＳ２）。メダルの払い出し中ではないと判断された場合、各遊技機ユニット１０のメダル残量が検知される（ステップＳ３）。ここでは前記したホッパー２３に設けられた検知器４１〜４３からの情報により、メダル残量が所定量を下回る遊技機ユニット（以下においては「受け入れ側ユニット」１０ｂという。）があるか否かが判断される（ステップＳ４）。ステップＳ４にて肯定判断された場合には、ＣＰＵ５１は各遊技機ユニットのメダル残量を検知する検知器４１〜４３からの情報を基に、ホッパー２３内に最もメダル残量の多い遊技機ユニット（以下において「供給側ユニット」１０ａという。）がいずれであるかを判断する（ステップＳ５）。またＣＰＵ５１は、分配機構２６の駆動装置として設けられているＤＣモータ２６ｄの動作制御を司るコントローラ２６ｃに対して、メダル分配機構２６振り分け部のメダル排出口を受け入れ側ユニット１０ｂの方向に向けるよう命令を発する（ステップＳ６）。次いでＣＰＵ５１は、受け入れ側ユニット１０ｂの斜板２７ｂに設けられた下部斜板２８ｂの開閉を司る駆動装置２８ｄの動作制御を司るコントローラ２８ｃに対して、下部斜板２８ｂを開放するように命令を発する（ステップＳ７）。さらにＣＰＵ５１は、供給側ユニット１０ａのエレベーター機構２４ａに設けられた駆動装置２４ｄの動作を司るコントローラ２４ｃに対して、メダルをホッパー２３から送出するように命令を発する（ステップＳ８）。以上によって、ホッパー２３内のメダル残量が最も多いと判断された供給側ユニット１０ａから、メダル残量が所定量以下であると判断された受け入れ側ユニット１０ｂへとメダルが送出されてゆく。この間にも、各遊技機ユニットのメダル残量検知器４１〜４３からの信号はＣＰＵ５１に送信されているので、これに基づいてＣＰＵ５１は、受け側遊技機ユニット１０ｂのメダル残量が所定量となったか否かを判断する（ステップＳ９・Ｓ１０）。
【００３５】
ステップＳ４において否定判断された場合には処理はステップＳ２に戻される。またステップＳ１０にて否定判断された場合には処理はステップＳ８に戻され、供給側ユニット１０ａから受け入れ側ユニット１０ｂへのメダルの送出が継続される。
【００３６】
ステップＳ１０において肯定判断された場合には、供給側ユニット１０ａのエレベーター機構２４ａの動作停止命令が発せられ（ステップＳ１１）、一方受け入れ側ユニット１０ｂの下部斜板２８ｂが斜板２７ｂの開口を閉鎖するように動作するよう命令が発せられる（ステップＳ１２）。これにより供給側および受け入れ側ユニットの各駆動部分は通常の姿勢に戻される。そして処理はステップＳ２に戻され、以上に説明した処理が繰り返されて、各遊技機ユニット間のメダル残量の均衡が図られる。
【００３７】
なお以上の実施形態においては、遊技機ユニットが６台である場合について説明したが本発明はこれに限定されるものではなく、ユニット数は２以上であれば本発明を適用することが可能である。
【００３８】
また、エレベーター機構２４に加えて、図２の実施形態にも示されているように、斜板２７の下端部に一時メダル受け３５を設けて、メダルを一時貯留し、ここから第二のエレベーター機構３６により、遊技機上部の転送樋２５まで送出するように構成してもよい。
【００３９】
分配機構２６から排出されたメダルは斜板２７（２８）上を滑走することにより、プレイヤーに対する演出効果を奏しているが、例えば多色の照明を、空間中を自由落下するメダルに当てるようにして演出を行ってもよい。メダル残量検知器４１〜４３は、導通センサを使用した例を説明したが、例えばホッパー２３をロードセル上に載置して、重量によりメダル残量を検知するようにしてもよい。さらに遊技価値媒体としてメダル、すなわち円盤形状の媒体を使用した例を説明したが、本発明の技術思想は、例えば球形や、多角形、多面体などの形状を備えた遊技価値媒体にも適用可能なものである。
【００４０】
以上、現時点において、最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うメダル遊技機もまた本発明の技術的範囲に包含されるものとして理解されなければならない。
【００４１】
【発明の効果】
以上に説明したように、所定の軸の周囲に配置されるとともに筐体の少なくとも一部を共有する複数の遊技機ユニットからなるメダル遊技機であって、各遊技機ユニットはそれぞれのメダル貯留装置から筐体上部の所定の軸近傍にメダルを搬送するエレベーター機構を有し、筐体上部の所定の軸近傍には、エレベーター機構により搬送されたメダルを各遊技機ユニットに分配するメダル分配機構が備えられているメダル遊技機によれば、遊技機ユニット間に生じるメダルの過不足をメダル分配機構によって解消することができる。また、本来演出効果のために設けられているエレベーター機構をユニット間に生じるメダルの過不足解消のために有効活用することができる。
【００４２】
上記メダル遊技機において、分配機構に連接してさらに各遊技機ユニットの正面に斜板を配置し、この斜板上に分配機構からのメダルを導く構成を備えることで、プレイヤーをしてメダルが当該斜板上を滑走する様子を視認可能とし、各遊技機ユニットのメダル貯留装置内へのメダルの落下を可能に構成した場合には、プレイヤーはゲームを行いつつ大量のメダルが斜板上を滑落して行くのを目の当たりにするので、ゲームの興趣をより高めることができる。
【図面の簡単な説明】
【図１】メダル遊技機の全体を示す斜視図である。
【図２】図１のII−II線断面図である。
【図３】通常時のメダルの流れを示す図である。
【図４】メダル分配機構からのメダルの払い出しを示す図である。
【図５】遊技機ユニット間のメダルの融通を示す図である。
【図６】メダル分配制御装置のブロック図である。
【図７】メダル分配装置による制御のフローチャートである。
【符号の説明】
Ｘ  軸
１  メダル遊技機
１０ａ  遊技機ユニット
１０ｂ  遊技機ユニット
１０ｃ  遊技機ユニット
１０ｄ  遊技機ユニット
１０ｅ  遊技機ユニット
１０ｆ  遊技機ユニット
２３  ホッパー
２４  エレベーター機構
２６  メダル分配機構
２７  斜板
２８  下部斜板
２８ｄ  駆動装置（開閉機構）
４１  上部検知器
４２  中央部検知器
４３  下部検知器
５０  制御装置（メダル分配制御手段）
【図１】
0003712645.tif 000002
【図２】
0003712645.tif 000003
【図３】
0003712645.tif 000004
【図４】
0003712645.tif 000005
【図５】
0003712645.tif 000006
【図６】
0003712645.tif 000007
【図７】
0003712645.tif 000008